(57)【特許請求の範囲】
【請求項１】
映像表示部と接続する接続部と、前記映像表示部に対するユーザ操作を受け付ける複数の操作部材と、前記複数の操作部材に対する操作に対応して前記映像表示部を操作させる動作モードを少なくとも２種類有する制御部とを有する映像表示装置用リモートコントローラと、
前記映像表示装置用リモートコントローラを、前記ユーザの衣服などに取り付ける取り付け部材と、
前記取り付け部材により前記映像表示装置用リモートコントローラが前記ユーザの衣服などに取り付けられているか否かを判別する判別部とを備え、
前記制御部は、前記判別部による判別結果に応じて、前記動作モードを選択し、選択した動作モードにしたがって、前記接続部を介して前記映像表示部を操作させるとともに、選択した前記動作モードに応じた前記複数の操作部材の像を前記映像表示部に表示させる
ことを特徴とする映像表示装置。
【請求項２】
映像表示部と接続する接続部と、前記映像表示部に対するユーザ操作を受け付ける複数の操作部材と、前記複数の操作部材に対する操作に対応して前記映像表示部を操作させる動作モードを少なくとも２種類有する制御部とを有する映像表示装置用リモートコントローラを備え、
前記制御部は、前記動作モードの何れかを選択し、選択した動作モードにしたがって、前記接続部を介して前記映像表示部を操作させるとともに、選択した前記動作モードに応じた前記複数の操作部材の像を前記映像表示部に表示させる
ことを特徴とする映像表示装置。
【請求項３】
請求項２に記載の映像表示装置において、
前記映像表示装置用リモートコントローラが、予め定められた基準状態に対して、どの程度傾いた状態にあるかを検出する検出部を備え、
前記制御部は、前記検出部による検出結果に応じて、前記動作モードを選択する
ことを特徴とする映像表示装置。
【請求項４】
音声と画像との少なくとも一方を再生する再生装置と接続する接続部と、
前記再生装置に対するユーザ操作を受け付ける複数の操作部材と、
前記複数の操作部材に対する操作に対応して前記再生装置を操作させる動作モードを少なくとも２種類有する制御部とを備え、
前記制御部は、前記動作モードの何れかを選択し、選択した動作モードにしたがって、前記接続部を介して前記再生装置を操作させる
ことを特徴とする再生装置用リモートコントローラ。
【請求項５】
請求項４に記載の再生装置用リモートコントローラにおいて、
前記複数の操作部材は、配置が線対称である操作部材を含み、
前記制御部は、前記配置が線対称である操作部材に対する操作に対応する動作が異なる少なくとも２種類の動作モードを有する
ことを特徴とする再生装置用リモートコントローラ。
【請求項６】
請求項４に記載の再生装置用リモートコントローラにおいて、
前記複数の操作部材は、配置が点対称である操作部材を含み、
前記制御部は、前記配置が点対称である操作部材に対する操作に対応する動作が異なる少なくとも２種類の動作モードを有する
ことを特徴とする再生装置用リモートコントローラ。
【請求項７】
請求項４から請求項６の何れか１項に記載の再生装置用リモートコントローラにおいて、
前記再生装置用リモートコントローラが、予め定められた基準状態に対して、どの程度傾いた状態にあるかを検出する検出部を備え、
前記制御部は、前記検出部による検出結果に応じて、前記動作モードを選択する
ことを特徴とする再生装置用リモートコントローラ。
【請求項８】
請求項４から請求項７の何れか１項に記載の再生装置用リモートコントローラにおいて、
前記再生装置用リモートコントローラを前記ユーザの衣服などに取り付ける取り付け部材と、
前記取り付け部材により前記再生装置用リモートコントローラが前記ユーザの衣服などに取り付けられているか否かを判別する判別部とを備え、
前記制御部は、前記判別部による判別結果に応じて、前記動作モードを選択する
ことを特徴とする再生装置用リモートコントローラ。
【請求項９】
請求項４から請求項７の何れか１項に記載の再生装置用リモートコントローラにおいて、
前記再生装置用リモートコントローラを前記ユーザの衣服などに取り付ける取り付け部材と、
前記取り付け部材により前記再生装置用リモートコントローラを前記ユーザの衣服などに取り付ける向きを示すユーザ指示を受け付ける受付部とを備え、
前記制御部は、前記受付部により受け付けた前記ユーザ指示に応じて、前記動作モードを選択する
ことを特徴とする再生装置用リモートコントローラ。
【請求項１０】
音声と画像との少なくとも一方を再生する再生部と、
ユーザ操作を受け付ける複数の操作部材と、
前記複数の操作部材に対する操作に対応して前記再生部を操作する動作モードを少なくとも２種類有する制御部とを備え、
前記制御部は、前記動作モードの何れかを選択し、選択した動作モードにしたがって、前記再生部を操作する
ことを特徴とする再生装置。
【請求項１１】
請求項１０に記載の再生装置において、
前記複数の操作部材は、配置が線対称である操作部材を含み、
前記制御部は、前記配置が線対称である操作部材に対する操作に対応する動作が異なる少なくとも２種類の動作モードを有する
ことを特徴とする再生装置。
【請求項１２】
請求項１０に記載の再生装置において、
前記複数の操作部材は、配置が点対称である操作部材を含み、
前記制御部は、前記配置が点対称である操作部材に対する操作に対応する動作が異なる少なくとも２種類の動作モードを有する
ことを特徴とする再生装置。
【請求項１３】
請求項１０から請求項１２の何れか１項に記載の再生装置において、
前記再生装置が、予め定められた基準状態に対して、どの程度傾いた状態にあるかを検出する検出部を備え、
前記制御部は、前記検出部による検出結果に応じて、前記動作モードを選択する
ことを特徴とする再生装置。
【請求項１４】
請求項１０から請求項１３の何れか１項に記載の再生装置において、
前記再生装置を前記ユーザの衣服などに取り付ける取り付け部材と、
前記取り付け部材により前記再生装置が前記ユーザの衣服などに取り付けられているか否かを判別する判別部とを備え、
前記制御部は、前記判別部による判別結果に応じて、前記動作モードを選択する
ことを特徴とする再生装置。
【請求項１５】
請求項１０から請求項１３の何れか１項に記載の再生装置において、
前記再生装置を前記ユーザの衣服などに取り付ける取り付け部材と、
前記取り付け部材により前記再生装置を前記ユーザの衣服などに取り付ける向きを示すユーザ指示を受け付ける受付部とを備え、
前記制御部は、前記受付部により受け付けた前記ユーザ指示に応じて、前記動作モードを選択する
ことを特徴とする再生装置。
【請求項１６】
音声と画像との少なくとも一方を再生する再生装置と接続する接続部と、前記再生装置に対するユーザ操作を受け付ける複数の操作部材と、前記複数の操作部材に対する操作に対応して前記再生装置を操作させる動作モードを少なくとも２種類有する制御部とを有する再生装置用リモートコントローラと、
前記再生装置用リモートコントローラが、予め定められた基準状態に対して、どの程度傾いた状態にあるかを検出する検出部とを備え、
前記制御部は、前記動作モードの何れかを選択し、選択した動作モードにしたがって、前記接続部を介して前記再生装置を操作し、
前記再生装置用リモートコントローラの傾き状態に対応させて特定の動作モードを選択することが可能である
ことを特徴とする再生装置。
【請求項１７】
音声と画像との少なくとも一方を再生する再生装置と接続する接続部と、前記再生装置に対するユーザ操作を受け付ける複数の操作部材と、前記複数の操作部材に対する操作に対応して前記再生装置を操作させる動作モードを少なくとも２種類有する制御部と、前記再生装置を前記ユーザの衣服などに取り付ける取り付け部材と、前記取り付け部材により前記再生装置が前記ユーザの衣服などに取り付けられているか否かを判別する判別部とを有する再生装置用リモートコントローラを備え、
前記制御部は、前記動作モードの何れかを選択し、選択した動作モードにしたがって、前記接続部を介して前記再生装置を操作し、
前記判定部の判定結果に対応させて特定の動作モードを選択することが可能である
ことを特徴とする再生装置。
【請求項１８】
請求項１６または請求項１７に記載の再生装置において、
前記再生装置は、映像を再生して、再生した画像を表示する映像表示部を有し、
前記制御部は、選択した前記動作モードに応じた前記複数の操作部材の像を前記映像表示部に表示させる
ことを特徴とする再生装置。
【発明の詳細な説明】
【技術分野】
【０００１】
本発明は、音声と画像との少なくとも一方を再生する映像表示装置、再生装置用リモートコントローラおよび再生装置に関する。
【背景技術】
【０００２】
従来より、音声や画像を再生する再生装置（ポータブルプレーヤー）では、本体部分と別に用意される、リモートコントローラが広く知られている。このようなリモートコントローラは、本体部分と接続されるとともに、ユーザの衣服や鞄などに取り付けて使用されることが多い（例えば、特許文献１参照）。
【特許文献１】実開平５−２１５９２号公報
【発明の開示】
【発明が解決しようとする課題】
【０００３】
しかし、リモートコントローラの使用方法はユーザや使用状況によって異なる。例えば、ユーザが手に持って使用する場合と、衣服などに取り付けて使用する場合とでは、リモートコントローラの各操作部材の左右が反転することになる。
【０００４】
本発明は、ユーザの使用状況に対応可能な操作性の高い映像表示装置、再生装置用リモートコントローラおよび再生装置を提供することを目的とする。
【課題を解決するための手段】
【０００５】
本発明の映像表示装置は、映像表示部と接続する接続部と、前記映像表示部に対するユーザ操作を受け付ける複数の操作部材と、前記複数の操作部材に対する操作に対応して前記映像表示部を操作させる動作モードを少なくとも２種類有する制御部とを有する映像表示装置用リモートコントローラと、前記映像表示装置用リモートコントローラを、前記ユーザの衣服などに取り付ける取り付け部材と、前記取り付け部材により前記映像表示装置用リモートコントローラが前記ユーザの衣服などに取り付けられているか否かを判別する判別部とを備え、前記制御部は、前記判別部による判別結果に応じて、前記動作モードを選択し、選択した動作モードにしたがって、前記接続部を介して前記映像表示部を操作させるとともに、選択した前記動作モードに応じた前記複数の操作部材の像を前記映像表示部に表示させる。
【０００６】
本発明の別の映像表示装置は、映像表示部と接続する接続部と、前記映像表示部に対するユーザ操作を受け付ける複数の操作部材と、前記複数の操作部材に対する操作に対応して前記映像表示部を操作させる動作モードを少なくとも２種類有する制御部とを有する映像表示装置用リモートコントローラを備え、前記制御部は、前記動作モードの何れかを選択し、選択した動作モードにしたがって、前記接続部を介して前記映像表示部を操作させるとともに、選択した前記動作モードに応じた前記複数の操作部材の像を前記映像表示部に表示させる。
【０００７】
なお、前記映像表示装置用リモートコントローラが、予め定められた基準状態に対して、どの程度傾いた状態にあるかを検出する検出部を備え、前記制御部は、前記検出部による検出結果に応じて、前記動作モードを選択しても良い。
【０００８】
本発明の再生装置用リモートコントローラは、音声と画像との少なくとも一方を再生する再生装置と接続する接続部と、前記再生装置に対するユーザ操作を受け付ける複数の操作部材と、前記複数の操作部材に対する操作に対応して前記再生装置を操作させる動作モードを少なくとも２種類有する制御部とを備え、前記制御部は、前記動作モードの何れかを選択し、選択した動作モードにしたがって、前記接続部を介して前記再生装置を操作させる。
【０００９】
なお、好ましくは、前記複数の操作部材は、配置が線対称である操作部材を含み、前記制御部は、前記配置が線対称である操作部材に対する操作に対応する動作が異なる少なくとも２種類の動作モードを有しても良い。
【００１０】
また、好ましくは、前記複数の操作部材は、配置が点対称である操作部材を含み、前記制御部は、前記配置が点対称である操作部材に対する操作に対応する動作が異なる少なくとも２種類の動作モードを有しても良い。
【００１１】
また、好ましくは、前記再生装置用リモートコントローラが、予め定められた基準状態に対して、どの程度傾いた状態にあるかを検出する検出部を備え、前記制御部は、前記検出部による検出結果に応じて、前記動作モードを選択しても良い。
【００１２】
また、好ましくは、前記再生装置用リモートコントローラを前記ユーザの衣服などに取り付ける取り付け部材と、前記取り付け部材により前記再生装置用リモートコントローラが前記ユーザの衣服などに取り付けられているか否かを判別する判別部とを備え、前記制御部は、前記判別部による判別結果に応じて、前記動作モードを選択しても良い。
【００１３】
また、好ましくは、前記再生装置用リモートコントローラを前記ユーザの衣服などに取り付ける取り付け部材と、前記取り付け部材により前記再生装置用リモートコントローラを前記ユーザの衣服などに取り付ける向きを示すユーザ指示を受け付ける受付部とを備え、前記制御部は、前記受付部により受け付けた前記ユーザ指示に応じて、前記動作モードを選択しても良い。
【００１４】
本発明の再生装置は、音声と画像との少なくとも一方を再生する再生部と、ユーザ操作を受け付ける複数の操作部材と、前記複数の操作部材に対する操作に対応して前記再生部を操作する動作モードを少なくとも２種類有する制御部とを備え、前記制御部は、前記動作モードの何れかを選択し、選択した動作モードにしたがって、前記再生部を操作する。
【００１５】
なお、好ましくは、前記複数の操作部材は、配置が線対称である操作部材を含み、前記制御部は、前記配置が線対称である操作部材に対する操作に対応する動作が異なる少なくとも２種類の動作モードを有しても良い。
【００１６】
また、好ましくは、前記複数の操作部材は、配置が点対称である操作部材を含み、前記制御部は、前記配置が点対称である操作部材に対する操作に対応する動作が異なる少なくとも２種類の動作モードを有しても良い。
【００１７】
また、好ましくは、前記再生装置が、予め定められた基準状態に対して、どの程度傾いた状態にあるかを検出する検出部を備え、前記制御部は、前記検出部による検出結果に応じて、前記動作モードを選択しても良い。
【００１８】
また、好ましくは、前記再生装置を前記ユーザの衣服などに取り付ける取り付け部材と、前記取り付け部材により前記再生装置が前記ユーザの衣服などに取り付けられているか否かを判別する判別部とを備え、前記制御部は、前記判別部による判別結果に応じて、前記動作モードを選択しても良い。
【００１９】
また、好ましくは、前記再生装置を前記ユーザの衣服などに取り付ける取り付け部材と、前記取り付け部材により前記再生装置を前記ユーザの衣服などに取り付ける向きを示すユーザ指示を受け付ける受付部とを備え、前記制御部は、前記受付部により受け付けた前記ユーザ指示に応じて、前記動作モードを選択しても良い。
【００２０】
本発明の別の再生装置は、音声と画像との少なくとも一方を再生する再生装置と接続する接続部と、前記再生装置に対するユーザ操作を受け付ける複数の操作部材と、前記複数の操作部材に対する操作に対応して前記再生装置を操作させる動作モードを少なくとも２種類有する制御部とを有する再生装置用リモートコントローラと、前記再生装置用リモートコントローラが、予め定められた基準状態に対して、どの程度傾いた状態にあるかを検出する検出部とを備え、前記制御部は、前記動作モードの何れかを選択し、選択した動作モードにしたがって、前記接続部を介して前記再生装置を操作し、前記再生装置用リモートコントローラの傾き状態に対応させて特定の動作モードを選択することが可能である。
【００２１】
本発明の別の再生装置は、音声と画像との少なくとも一方を再生する再生装置と接続する接続部と、前記再生装置に対するユーザ操作を受け付ける複数の操作部材と、前記複数の操作部材に対する操作に対応して前記再生装置を操作させる動作モードを少なくとも２種類有する制御部と、前記再生装置を前記ユーザの衣服などに取り付ける取り付け部材と、前記取り付け部材により前記再生装置が前記ユーザの衣服などに取り付けられているか否かを判別する判別部とを有する再生装置用リモートコントローラを備え、前記制御部は、前記動作モードの何れかを選択し、選択した動作モードにしたがって、前記接続部を介して前記再生装置を操作し、前記判定部の判定結果に対応させて特定の動作モードを選択することが可能である。
【００２２】
なお、前記再生装置は、映像を再生して、再生した画像を表示する映像表示部を有し、前記制御部は、選択した前記動作モードに応じた前記複数の操作部材の像を前記映像表示部に表示させても良い。
【発明の効果】
【００２３】
本発明によれば、ユーザの使用状況に対応可能な操作性の高い映像表示装置、再生装置用リモートコントローラおよび再生装置を提供することができる。
【発明を実施するための最良の形態】
【００２４】
以下、図面を用いて本発明の実施形態について説明する。
【００２５】
〈第１実施形態〉
第１実施形態では、ヘッドマウントディスプレイ（以下「ＨＭＤ」と称する）用のリモートコントローラを例に挙げて説明する。
【００２６】
図１は、第１実施形態のリモートコントローラの概略図である。リモートコントローラ１は、図１に示すように、無線でＨＭＤ１００と接続される。また、リモートコントローラ１は、前面に電源ボタン２、十字ボタン３、メニューボタン４を備えるとともに、上面に通信部５を備える。また、ＨＭＤ１００は、通信部１０１、スピーカ１０２、表示部１０３を備える。
【００２７】
図２は、リモートコントローラ１およびＨＭＤ１００の機能ブロック図である。
【００２８】
リモートコントローラ１は、各部を制御する制御部６、予め定められた基準状態（図１に示す状態）に対して、どの程度傾いた状態にあるかを検出する角度センサ７を備える。
【００２９】
制御部６は、電源ボタン２、十字ボタン３、メニューボタン４、角度センサ７の状態を検知するとともに、通信部５と相互に接続される。
【００３０】
一方、ＨＭＤ１００は、前述した通信部１０１、スピーカ１０２、表示部１０３の各部を制御する制御部１０４を備え、制御部１０４は、通信部１０１および通信部５を介してリモートコントローラ１から送られる指示にしたがって、スピーカ１０２に対する音声の再生や、表示部１０３に対する画像の表示を行う。
【００３１】
以上説明した構成のリモートコントローラ１およびＨＭＤ１００における制御部６の動作について説明する。
【００３２】
電源ボタン２がＯＮされると、制御部６はこれを検知し、通信部５および通信部１０１を介して、制御部１０４に電源ＯＮの指示を出す。そして、制御部６は、角度センサ７を介して、予め定められた基準状態に対して、どの程度傾いた状態にあるかを検出する。そして、検出結果に応じて、動作モードを選択する。動作モードとは、十字ボタン３の各方向に対する操作に対応してどのような動作を行うかを示すモードであり、制御部６は複数の動作モードを有する。
【００３３】
例えば、図３Ａに示すような通常状態の場合、上方向に配置される３ａの部材に対する操作に対応して「一旦停止」、右方向に配置される３ｂの部材に対する操作に対応して「早送り」、下方向に配置される３ｃの部材に対する操作に対応して「停止」、左方向に配置される３ｄの部材に対する操作に対応して「巻き戻し」の動作を行うモードを選択する。
【００３４】
また、図３Ｂに示す状態の場合、上方向に配置される３ｄの部材に対する操作に対応して「一旦停止」、右方向に配置される３ａの部材に対する操作に対応して「早送り」、下方向に配置される３ｂの部材に対する操作に対応して「停止」、左方向に配置される３ｃの部材に対する操作に対応して「巻き戻し」の動作を行うモードを選択する。図３Ｃおよび図３Ｄに示す状態においても同様である。すなわち、角度センサ７の出力に応じて、使用状況を推測し、ユーザにとって上側（鉛直方向に対して上方向）にある部材には、常に同じ機能を対応づけるようにする。十字ボタン３の各方向は、配置が点対称である操作部材であり、図３Ａから図３Ｄの各図に対応する動作モードは、配置が点対称である操作部材に対する操作に対応する動作が異なる動作モードである。なお、十字ボタン３の各方向と同様に、方向指示に関わる操作部材には同様に適用することができる。
【００３５】
さらに、制御部６は、通信部５および通信部１０１を介して、制御部１０４に十字ボタン３の各方向に対応する機能の組み合わせを指示する。すなわち、角度センサ７の出力に応じて、十字ボタン３の各方向（３ａ〜３ｄ）にどのような機能を対応づけるかを指示する。制御部１０４は、この情報を取得すると、表示部１０３に、十字ボタン３の各方向（３ａ〜３ｄ）と、その方向に対応づけられた機能とを表示する。このような処理を行うことにより、表示部１０３に表示された情報と、リモートコントローラ１による操作とを一致させ、ユーザによるリモートコントローラ１の操作性を向上させることができる。
【００３６】
以上説明したように、第１実施形態によれば、音声と画像との少なくとも一方を再生する再生装置と接続し、再生装置に対するユーザ操作を受け付ける複数の操作部材と、複数の操作部材に対する操作に対応して再生装置を操作させる動作モードを少なくとも２種類有する制御部とを備え、制御部は、動作モードの何れかを選択し、選択した動作モードにしたがって、接続部を介して再生装置を操作させる。したがって、ユーザの使用状況に対応可能な操作性の高い再生装置用リモートコントローラを実現することができる。
【００３７】
また、第１実施形態によれば、複数の操作部材は、配置が点対称である操作部材を含み、制御部は、配置が点対称である操作部材に対する操作に対応する動作が異なる少なくとも２種類の動作モードを有する。したがって、リモートコントローラの角度に対応して、より操作性の高い再生装置用リモートコントローラを実現することができる。
【００３８】
また、第１実施形態によれば、予め定められた基準状態に対して、どの程度傾いた状態にあるかを検出する検出部を備え、制御部は、検出部による検出結果に応じて、動作モードを選択する。したがって、使用状況をより正確に検知して、操作性の高い再生装置用リモートコントローラを実現することができる。
【００３９】
なお、第１実施形態では、角度センサ７により９０度ごとの角度を検出する例を示したが、検出する角度の単位はこの例に限定されない。例えば、さらに細かく角度を検出するようにしても良い。
【００４０】
〈第２実施形態〉
第２実施形態では、再生装置本体に操作部材を備えた（リモートコントローラ一体型の）音声再生装置を例に挙げて説明する。
【００４１】
図４は、第２実施形態の音声再生装置の概略図である。音声再生装置１０は、図４に示すように、前面にスライドボタン１１、左ボタン１２、中央ボタン１３、右ボタン１４を備えるとともに、コードによって本体と接続されるスピーカ１５を備える。さらに、音声再生装置１０は、背面に、ユーザの衣服などに取り付けるクリップ１６を備える。クリップ１６は、クリップ１６が閉じたときに接触する部分にクリップセンサ１７を備え、このクリップセンサ１７により、接触部分に何も挟まっていない場合には衣服などに取り付けられていないと判定し、接触部分に衣服などが挟まっている場合には衣服などに取り付けられていると判定する。
【００４２】
図５は、音声再生装置１０の機能ブロック図である。
【００４３】
音声再生装置１０は、各部を制御する制御部１８をさらに備える。制御部１８は、スライドボタン１１、左ボタン１２、中央ボタン１３、右ボタン１４、クリップセンサ１７の状態を検知するとともに、各操作部材による指示にしたがって、スピーカ１５に対する音声の再生を行う。
【００４４】
以上説明した構成の音声再生装置１０における制御部１８の動作について説明する。
【００４５】
スライドボタン１１により「ＰＯＷＥＲ」が選択されると、制御部１８はこれを検知し、電源をＯＮする。そして、制御部１８は、クリップセンサ１７を介して、再生装置１０がユーザの衣服などに取り付けられているか否かを判定する。このような判定により、ユーザが再生装置１０を手に持って使用しているのか、衣服などに取り付けて使用しているのかを判別し、判別結果に応じて、動作モードを選択する。動作モードとは、左ボタン１２および右ボタン１４に対する操作に対応してどのような動作を行うかを示すモードであり、制御部１８は複数の動作モードを有する。
【００４６】
例えば、ユーザが再生装置１０を手に持って使用している場合、左方向に配置される左ボタン１２に対する操作に対応して「巻き戻し」、右方向に配置される右ボタン１４に対する操作に対応して「早送り」、中央に配置される中央ボタン１３に対する操作に対応して「再生および一時停止」の動作を行うモードを選択する。
【００４７】
一方、再生装置１０を衣服（胸ポケットなど）に取り付けて使用している場合、左右が逆になる。すなわち、ユーザにとっては、左方向に右ボタン１４が配置され、右方向に左ボタン１２が配置されることになる。そこで、このような場合には、左方向に配置される右ボタン１４に対する操作に対応して「巻き戻し」、右方向に配置される左ボタン１２に対する操作に対応して「早送り」の機能に対応し、中央に配置される中央ボタン１３に対する操作に対応して、手に持って使用している場合と同様に「再生および一時停止」の動作を行うモードを選択する。
【００４８】
すなわち、クリップセンサ１７の出力に応じて、使用状況を推測し、ユーザにとって左右方向に配置される部材には、常に同じ方向に同じ機能を対応づけるようにする。左ボタン１２および右ボタン１４は、配置が線対称である操作部材であり、上述した２種類の動作モードは、配置が線対称である操作部材に対する操作に対応する動作が異なる動作モードである。なお、左右対称に配置される操作部材には同様に適用することができる。例えば、図４に示したスライドボタン１１などにも同様に適用することができる。
【００４９】
なお、クリップ１６により音声再生装置１０をユーザの衣服などに取り付ける向きを示すユーザ指示を受け付け、受け付けたユーザ指示に応じて操作部材のそれぞれに対応する機能を決定するようにしても良い。例えば、ユーザの性別を受け付けることにより、衣服の袷の向きを判別し、機能を決定するようにしても良い。さらに、第１実施形態で説明した角度センサ７の出力を加味することで、より正確に使用状況を把握することが可能になる。
【００５０】
以上説明したように、第２実施形態によれば、音声と画像との少なくとも一方を再生する再生部と、ユーザ操作を受け付ける複数の操作部材と、複数の操作部材に対する操作に対応して再生部を操作する動作モードを少なくとも２種類有する制御部とを備え、制御部は、動作モードの何れかを選択し、選択した動作モードにしたがって、再生部を操作する。したがって、ユーザの使用状況に対応可能な操作性の高い再生装置を実現することができる。
【００５１】
また、第２実施形態によれば、配置が線対称である操作部材を含み、制御部は、配置が線対称である操作部材に対する操作に対応する動作が異なる少なくとも２種類の動作モードを有する。したがって、使用状況に容易に対応して、操作性の高い再生装置を実現することができる。
【００５２】
また、第２実施形態によれば、再生装置をユーザの衣服などに取り付ける取り付け部材と、取り付け部材により再生装置がユーザの衣服などに取り付けられているか否かを判別する判別部とを備え、制御部は、判別結果に応じて、動作モードを選択する。したがって、ユーザが再生装置を手に持って使用しているのか、衣服などに取り付けて使用しているのかを容易に判別して、操作性の高い再生装置を実現することができる。
【００５３】
なお、第２実施形態では、複数の操作部材が線対称に配置された例について説明したが、第１実施形態と同様に、点対称に配置された場合にも同様に適用できる。また、操作部材の配置や形状によって、組み合わせるようにしても良い。また、第１実施形態についても同様である。さらに、全ての操作部材に関して本発明を適用するには、操作部材の配置を対称にしなくてはならず、デザインにおける制約が多い。したがって、対称に配置された一部の操作部材を中心として、本発明を適用するようにすれば良い。
【００５４】
また、第２実施形態では、音声再生装置を用いて説明を行ったが、第１実施形態と同様に画像も再生する再生装置に適用するようにしても良い。
【００５５】
また、第２実施形態では、再生装置の本体とスピーカとをコード（有線）で接続する例を示したが、第１実施形態と同様に、無線で接続するようにしても良い。また、第１実施形態のリモートコントローラとＨＭＤとを有線で接続するようにしても良い。
【００５６】
また、第２実施形態では、再生装置の背面に設けられるクリップを用いて、再生装置を、ユーザの衣服などに取り付ける例を示したが、取り付けが可能であればクリップ以外の形状の取り付け部材であっても良い。また、クリップは、必ずしも再生装置と一体でなくても良い。
【００５７】
〈第３実施形態〉
第３実施形態では、リモートコントローラを備えたヘッドマウントディスプレイ（以下「ＨＭＤ」と称する）を例に挙げて説明する。
【００５８】
第３実施形態のＨＭＤ２００は、図６に示すように、スピーカ２０２、表示部２０３、リモートコントローラ２１を備える。リモートコントローラ２１は、図６に示すように、コードによってＨＭＤ２００と接続される。また、リモートコントローラ２１は、第１実施形態のリモートコントローラ１と同様に、前面に電源ボタン２２、十字ボタン２３、メニューボタン２４を備えるとともに、コードによって再生装置などと接続される。
【００５９】
さらに、リモートコントローラ２１は、背面に、第２実施形態と同様に、ユーザの衣服などに取り付けるクリップ２１６を備える。クリップ２１６は、クリップ２１６が閉じたときに接触する部分にクリップセンサ２１７を備え、このクリップセンサ２１７により、接触部分に何も挟まっていない場合には衣服などに取り付けられていないと判定し、接触部分に衣服などが挟まっている場合には衣服などに取り付けられていると判定する。
【００６０】
図７は、ＨＭＤ２００の機能ブロック図である。
【００６１】
ＨＭＤ２００は、各部を制御する制御部２０４、リモートコントローラ２１からの情報を入力する入力部２０５をさらに備える。制御部２０４は、入力部２０５を介したリモートコントローラ２１からの指示にしたがって、スピーカ２０２に対する音声の再生や表示部２０３に対する画像の表示を行う。
【００６２】
また、リモートコントローラ２１は、ＨＭＤ２００へ情報を出力する出力部２５、各部を制御する制御部２６、ＤＶＤプレーヤーなどの再生装置からの情報を入力する入力部２７をさらに備える。
【００６３】
制御部２６は、電源ボタン２２、十字ボタン２３、メニューボタン２４、クリップセンサ２１７の状態を検知するとともに、出力部２５および入力部２７と相互に接続される。
【００６４】
以上説明した構成のＨＭＤ２００における制御部２０４および制御部２６の動作について説明する。
【００６５】
電源ボタン２２がＯＮされると、制御部２６はこれを検知し、出力部２５および入力部２０５を介して、制御部２０４に電源ＯＮの指示を出す。そして、制御部２６は、クリップセンサ２１７を介して、リモートコントローラ２１がユーザの衣服などに取り付けられているか否かを判定する。このような判定により、ユーザがリモートコントローラ２１を手に持って使用しているのか、衣服などに取り付けて使用しているのかを判別し、判別結果に応じて、動作モードを選択する。動作モードとは、十字ボタン２３の各キーに対する操作に対応してどのような動作を行うかを示すモードであり、制御部２６は複数の動作モードを有する。
【００６６】
例えば、ユーザがリモートコントローラ２１を手に持って使用している場合、第１実施形態で説明した図３Ａの状態と同様の使用状況である。したがって、第１実施形態で説明した図３Ａの状態と同様の動作を行うモードを選択する。
【００６７】
一方、ユーザがリモートコントローラ２１を衣服（胸ポケットなど）に取り付けて使用している場合、ユーザから見たリモートコントローラ２１の上下が逆になる。すなわち、第１実施形態で説明した図３Ｃの状態と同様の使用状況である。したがって、第１実施形態で説明した図３Ｃの状態と同様の動作を行うモードを選択する。
【００６８】
すなわち、クリップセンサ２１７の出力に応じて、使用状況を推測し、ユーザにとって左右方向に配置される部材には、常に同じ方向に同じ機能を対応づけるようにする。なお、上下方向に配置される部材についても同様である。
【００６９】
次に、制御部２６は、出力部２５および入力部２０５を介して、第１実施形態と同様に、制御部２０４に十字ボタン２３の各方向に対応する機能の組み合わせを指示する。制御部２０４は、この情報を取得すると、表示部２０３に、十字ボタン２３の各方向と、その方向に対応づけられた機能とを表示する。
【００７０】
図８に表示部２０３の表示例を示す。例えば、ユーザがリモートコントローラ２１を手に持って使用している場合には、図８Ａに示すように、使用状況に対応したリモートコントローラ２１の像と、十字ボタン２３の各方向に対応づけられた機能とを表示する。また、例えば、ユーザがリモートコントローラ２１を衣服（胸ポケットなど）に取り付けて使用している場合には、図８Ｂに示すように、使用状況に対応したリモートコントローラ２１の像と、十字ボタン２３の各方向に対応づけられた機能とを表示する。なお、図８Ａおよび図８Ｂでは、主要な機能として、巻き戻しと早送りとを表示する例を示す。
【００７１】
なお、図８Ｂの表示に代えて、図９Ａの表示を行っても良い。図９Ａの表示例では、リモートコントローラ２１の像は、図８Ａと同じ向きに表示し、十字ボタン２３に含まれる各キーの機能のうち、リモートコントローラ２１の使用状況に応じて機能を変更したキーの機能を表示している。どのような表示を行うかは、ユーザの指示により指定可能にすると良い。何れの場合も、リモートコントローラ２１の像と各キーに対応づけられた機能とを表示することにより、ユーザは、直感的に各キーの機能を理解することが可能となる。
【００７２】
なお、図８および図９Ａに示したように、リモートコントローラ２１の全体像を表示する代わりに、図９Ｂに示すように、リモートコントローラ２１の一部分のキーおよびそのキーに対応する機能を示す構成としても良い。
【００７３】
さらに、表示部２０３の表示を利用して、動作モードをユーザに選択させる構成としても良い。例えば、図１０に示すように、複数の使用状況におけるリモートコントローラ２１の像と各キーに対応づけられた機能とを表示部２０３に表示し、十字ボタン２３やメニューボタン２４を介したユーザ操作に基づいて、動作モードを選択可能としても良い。このような構成とすることにより、ユーザの所望の動作モードを選択することができる。
【００７４】
以上説明したように、第３実施形態によれば、映像表示部と接続する接続部と、映像表示部に対するユーザ操作を受け付ける複数の操作部材と、複数の操作部材に対する操作に対応して映像表示部を操作させる動作モードを少なくとも２種類有する制御部とを有する映像表示装置用リモートコントローラと、映像表示装置用リモートコントローラを、ユーザの衣服などに取り付ける取り付け部材と、取り付け部材により映像表示装置用リモートコントローラがユーザの衣服などに取り付けられているか否かを判別する判別部とを備え、制御部は、判別部による判別結果に応じて、動作モードを選択し、選択した動作モードにしたがって、接続部を介して映像表示部を操作させるとともに、選択した動作モードに応じた複数の操作部材の像を映像表示部に表示させる。したがって、ユーザは、直感的に各キーの機能を理解することが可能となる。
【００７５】
なお、第３実施形態で説明した技術は、第１実施形態および第２実施形態に対しても同様に適用可能である。すなわち、第１実施形態のＨＭＤ１００の表示部１０３に、同様の表示を行う構成としても良いし、第２実施形態の音声再生装置１０に表示部を備えて、同様の表示を行う構成としても良い。何れの場合にも、第３実施形態と同様の効果を得ることができる。
【００７６】
また、第３実施形態では、複数の操作部材が点対称に配置された例について説明したが、第２実施形態と同様に、線対称に配置された場合にも同様に適用できる。また、操作部材の配置や形状によって、組み合わせるようにしても良い。また、全ての操作部材に関して本発明を適用するには、操作部材の配置を対称にしなくてはならず、デザインにおける制約が多い。したがって、対称に配置された一部の操作部材を中心として、本発明を適用するようにすれば良い。
【００７７】
また、第３実施形態では、リモートコントローラを備えたヘッドマウントディスプレイを用いて説明を行ったが、第１実施形態と同様に画像を再生する再生装置に適用するようにしても良いし、第２実施形態と同様に音声再生装置に適用するようにしても良い。
【００７８】
また、第３実施形態では、リモートコントローラ２１とＨＭＤ２００とをコード（有線）で接続する例を示したが、第１実施形態と同様に、無線で接続するようにしても良い。リモートコントローラ２１と再生装置についても同様である。
【００７９】
また、第３実施形態では、リモートコントローラ２１の背面に設けられるクリップを用いて、リモートコントローラ２１を、ユーザの衣服などに取り付ける例を示したが、取り付けが可能であればクリップ以外の形状の取り付け部材であっても良い。また、クリップは、必ずしもリモートコントローラ２１と一体でなくても良い。
【００８０】
また、第１実施形態から第３実施形態で説明した各技術の全てまたは一部を組み合わせて実行する構成としても良い。
【００８１】
また、第１実施形態から第３実施形態で説明した各操作部材以外にタッチパネル技術を用いた操作部材にも、本発明を同様に適用することができる。
【図面の簡単な説明】
【００８２】
【図１】第１実施形態のリモートコントローラの概略図である。
【図２】リモートコントローラ１およびＨＭＤ１００の機能ブロック図である。
【図３】各操作部材に対応する機能について説明する図である。
【図４】第２実施形態の音声再生装置の概略図である。
【図５】音声再生装置１０の機能ブロック図である。
【図６】第３実施形態のＨＭＤの概略図である。
【図７】ＨＭＤ２００の機能ブロック図である。
【図８】表示部２０３の表示例である。
【図９】表示部２０３の別の表示例である。
【図１０】表示部２０３の別の表示例である。
【図１】
0004569573.tif 000002
【図２】
0004569573.tif 000003
【図３】
0004569573.tif 000004
【図４】
0004569573.tif 000005
【図５】
0004569573.tif 000006
【図６】
0004569573.tif 000007
【図７】
0004569573.tif 000008
【図８】
0004569573.tif 000009
【図９】
0004569573.tif 000010
【図１０】
0004569573.tif 000011